(57)【要約】【課題】ガラス扉の施錠機構において、部品点数を減らして簡易な構成で、ガラス扉作動体を作動させることができる遊技機における施錠装置を提供する。【解決手段】施錠装置１７の支持体１８には外枠作動体４６及びガラス扉作動体５２が設けられている。さらに、支持体１８には外枠作動体４６の作動に伴って作動する外枠用鉤部４３，４４と、ガラス扉作動体５２の作動に伴って作動するガラス扉鉤部５３，５４が設けられている。シリンダ錠３７によるガラス扉の解錠操作によってカム板３８の第１脚片３８ａがガラス扉作動体５２に取り付けられたロック体５５に係止して、その解錠操作によりガラス扉作動体５２が作動される。すると、ガラス扉鉤部５３，５４とガラス扉との係合が解除されてガラス扉が解錠される。【選択図】　　　図１
2004081795.tif 000002
【特許請求の範囲】
【請求項１】
外枠と、遊技盤が保持されて外枠の前面に開閉可能に支持される前枠と、前枠の前面に開閉可能に支持されるガラス扉とから構成される遊技機の前記前枠に取着され、前枠を外枠に施錠するとともに、ガラス扉を前枠に施錠する遊技機における施錠装置であって、
前枠に固定される支持体には、前枠を外枠に施錠すべく当該外枠に係合する外枠鉤部と、ガラス扉を前枠に施錠すべく当該ガラス扉に係合するガラス扉鉤部と、各鉤部の解錠操作を行う錠部材と、錠部材による外枠の解錠操作を外枠鉤部に伝達する外枠作動体と、錠部材によるガラス扉の解錠操作をガラス扉鉤部に伝達するガラス扉作動体とが設けられているとともに、前記錠部材には解錠操作に伴い回転するカム板が回転可能に設けられ、前記錠部材のガラス扉の解錠操作により前記カム板を回転させることによって、前記ガラス扉作動体の被係止部にカム板が係止してガラス扉作動体を作動させ、ガラス扉鉤部とガラス扉との係合を解除してガラス扉を解錠させることを特徴とする遊技機における施錠装置。
【請求項２】
前記ガラス扉作動体には、前枠にガラス扉が施錠された状態で、支持体に形成された係合部位に係合してガラス扉作動体の移動を規制するロック体が取り付けられ、前記錠部材のガラス扉の解錠操作により前記カム板を回転させることによって、前記被係止部としてのロック体にカム板が係止して当該ロック体を介してガラス扉作動体を作動させ、ガラス扉鉤部とガラス扉との係合を解除してガラス扉を解錠させることを特徴とする請求項１に記載の遊技機における施錠装置。
【請求項３】
前記ロック体は一端部がガラス扉作動体に回動可能に軸支され、同ロック体の他端部が支持体を切り欠いて形成された係合部位に係合してガラス扉作動体の移動を規制することを特徴とする請求項２に記載の遊技機における施錠装置。
【発明の詳細な説明】
【０００１】
【発明の属する技術分野】
本発明は、パチンコ遊技機等の遊技機において、遊技盤が設けられた前枠を外枠に施錠するとともに、ガラス扉を前枠に施錠するための遊技機における施錠装置に関するものである。
【０００２】
【従来の技術】
従来より、遊技機の一種であるパチンコ遊技機は、その外郭が縦長四角枠状をなす外枠と、外枠に開閉可能に支持される前枠と、前枠の内側に保持される遊技盤とから構成されている。また、前枠の前面には、四角板状をなすガラス扉が開閉可能に支持され、パチンコ遊技機前面から遊技盤が視認可能となっている。そして、前枠の一側には施錠装置が装着され、その施錠装置により外枠に対して前枠を施錠できるとともに、前枠に対してガラス扉を施錠できるようになっている（例えば、特許文献１参照。）。
【０００３】
この種の遊技機における施錠装置は、前枠に固定される支持体を備え、その支持体には、鍵によって回転操作可能なシリンダ錠が設けられている。このシリンダ錠には略Ｖ字状をなすカム板が錠軸により回転可能に取り付けられ、カム板は、シリンダ錠に差し込まれた鍵の回転方向と同一方向に回転可能になっている。また、支持体には、前記シリンダ錠の解錠操作によって作動する外枠作動体及びガラス扉作動体と、外枠作動体の作動に伴って作動する外枠用鉤部と、ガラス扉作動体の作動に伴って作動するガラス扉鉤部が備えられている。
【０００４】
さらに、シリンダ錠のカム板とガラス扉作動体との間には連動部材が設けられ、シリンダ錠の解錠操作がカム板から連動部材を介してガラス扉作動体に伝達されるようになっている。加えて、ガラス扉作動体には、ガラス扉の施錠時に、不正部材によるガラス扉作動体の不正操作によってガラス扉が不正に解錠されるのを防止するためのロック体が取り付けられている。
【０００５】
上記施錠装置に対し、外枠及びガラス扉には、それぞれ外枠用鉤部及びガラス扉用鉤部と係脱可能な係合部材が備えられている。そして、前枠を閉止方向に回転させると、外枠用鉤部と外枠の係合部材とが係合して外枠に対して前枠が施錠される。また、ガラス扉を閉止方向に回転させると、ガラス扉用鉤部とガラス扉の係合部材とが係合して前枠に対してガラス扉が施錠される。このとき、ロック体によりガラス扉作動体の不正移動が防止されている。
【０００６】
一方、シリンダ錠による外枠の解錠操作によってカム板が作動されるとともに、そのカム板により外枠用作動体が作動され、その作動により外枠用鉤部は係合部材から離脱し、外枠から前枠が解錠される。また、シリンダ錠によるガラス扉の解錠操作によってカム板が作動されるとともに、そのカム板により連動部材が作動される。その連動部材の作動により、ロック体が作動してガラス扉作動体の不正移動を防止した状態が解除される。続けて解錠操作が行われると、シリンダ錠の解錠操作がカム板を介して連動部材からロック体の取り付けられたガラス扉作動体に伝達される。そして、ガラス扉作動体が作動し、各ガラス扉用鉤部は係合部材から離脱して前枠からガラス扉が解錠される。
【０００７】
【特許文献１】
特開２００１−３８０２６号公報（第３頁〜第６頁、［図４］）
【０００８】
【発明が解決しようとする課題】
ところが、上記従来の遊技機における施錠装置においては、ガラス扉作動体を作動させ、ガラス扉を前枠から解錠するために、シリンダ錠の解錠操作を、カム板から連動部材を介してガラス扉作動体に伝達しなければならない。そのため、遊技機における施錠装置の部品点数が多くなるとともに、構造が複雑であるという問題があった。本発明は、上記従来技術に存在する問題点に着目してなされたものである。その目的とするところは、ガラス扉の施錠機構において、部品点数を減らして簡易な構成で、ガラス扉作動体を作動させることができる遊技機における施錠装置を提供することにある。
【０００９】
【課題を解決するための手段】
上記問題点を解決するために、請求項１に記載の発明は、外枠と、遊技盤が保持されて外枠の前面に開閉可能に支持される前枠と、前枠の前面に開閉可能に支持されるガラス扉とから構成される遊技機の前記前枠に取着され、前枠を外枠に施錠するとともに、ガラス扉を前枠に施錠する遊技機における施錠装置であって、前枠に固定される支持体には、前枠を外枠に施錠すべく当該外枠に係合する外枠鉤部と、ガラス扉を前枠に施錠すべく当該ガラス扉に係合するガラス扉鉤部と、各鉤部の解錠操作を行う錠部材と、錠部材による外枠の解錠操作を外枠鉤部に伝達する外枠作動体と、錠部材によるガラス扉の解錠操作をガラス扉鉤部に伝達するガラス扉作動体とが設けられているとともに、前記錠部材には解錠操作に伴い回転するカム板が回転可能に設けられ、前記錠部材のガラス扉の解錠操作により前記カム板を回転させることによって、前記ガラス扉作動体の被係止部にカム板が係止してガラス扉作動体を作動させ、ガラス扉鉤部とガラス扉との係合を解除してガラス扉を解錠させることを要旨とする。
【００１０】
請求項２に記載の発明は、請求項１に記載の遊技機における施錠装置において、前記ガラス扉作動体には、前枠にガラス扉が施錠された状態で、支持体に形成された係合部位に係合してガラス扉作動体の移動を規制するロック体が取り付けられ、前記錠部材のガラス扉の解錠操作により前記カム板を回転させることによって、前記被係止部としてのロック体にカム板が係止して当該ロック体を介してガラス扉作動体を作動させ、ガラス扉鉤部とガラス扉との係合を解除してガラス扉を解錠させることを要旨とする。
【００１１】
請求項３に記載の発明は、請求項２に記載の遊技機における施錠装置において、前記ロック体は一端部がガラス扉作動体に回動可能に軸支され、同ロック体の他端部が支持体を切り欠いて形成された係合部位に係合してガラス扉作動体の移動を規制することを要旨とする。
【００１２】
【発明の実施の形態】
（第１の実施形態）
以下、本発明を具体化した第１の実施形態を図１〜図７に基づいて詳細に説明する。
【００１３】
図６に示すように遊技機の一種であるパチンコ遊技機１１は、その外郭が縦長四角枠状をなす外枠１２により形成され、この外枠１２の前面には、四角枠状をなす前枠１３が開閉可能に支持されている。この前枠１３には、図示しない打球発射装置、球皿等のパチンコゲームを展開可能とする遊技構成部材が搭載できるとともに、前枠１３の内側には遊技盤１４が保持されるようになっている。この遊技盤１４の前面には、図示しない釘、入賞器具等の遊技構成部材が設けられ、背面にはプリント基板等の遊技構成部材が搭載されている。
【００１４】
前枠１３の前面には四角板状のガラス扉１５が開閉可能に支持され、パチンコ遊技機１１前面から遊技盤１４が視認可能となっている。さらに、ガラス扉１５の下方には、図示しないパチンコ球を貯留するための上皿を備えた長四角板状の上皿扉１６が前枠１３の前面に開閉可能に支持されている。
【００１５】
図７に示すように、前枠１３の一側には縦長四角状の施錠装置１７が装着され、ガラス扉１５及び上皿扉１６を前枠１３に施錠できるとともに、前枠１３を外枠１２に施錠できるようになっている。なお、以下において上下左右は、パチンコ遊技機１１を前方から見た場合の上下左右を示すものとする。
【００１６】
図１及び図２（ｂ）に示すように、施錠装置１７は、亜鉛メッキ鋼板等の金属板から形成され、断面略Ｌ字状をなすとともに、上下方向に延びるように形成された支持体１８によって外郭が形成されている。この支持体１８は、縦長四角板状の固定板１８ａと固定板１８ａの左側から背面方向に折り曲げ形成されている側板１８ｂを備えている。また、固定板１８ａの右側には、細長四角板状の補強リブ１８ｃが上下に一対折り曲げ形成され、固定板１８ａが補強されている。
【００１７】
さらに、図２（ｂ）に示すように、側板１８ｂの上部には側板１８ｂが切り欠かれることによって係合部位としての係合凹部１８ｄが形成されている。加えて、図１に示すように、固定板１８ａの下側には、下方向に延びる掛止フック１８ｅが形成されている。そして、図７に示すように、この施錠装置１７は固定板１８ａの前面が前枠１３の背面の一側に当接されるとともに、ビス等の固定部材によって前枠１３に固定されている。
【００１８】
まず、前記上皿扉１６の前枠１３に対する施錠機構について詳述する。図１及び図２（ａ）に示すように、側板１８ｂの下端左側には長四角形状の上皿扉作動体２０が上下動可能に設けられている。この上皿扉作動体２０の前面の上下両部には、それぞれ四角板状の上皿扉鉤部２１が前方に延びるように設けられ、各上皿扉鉤部２１の上面にはそれぞれ係合凹所２３が凹設されている。
【００１９】
図１に示すように、この上皿扉作動体２０の上側及び下側にはそれぞれ平面視横Ｔ字状の取付板２５が右方向に延びるように切り起こし形成されている。また、上皿扉作動体２０において、下端側の取付板２５の上側には、取付板抜止片２７が右方向に延びるように切り起こし形成されている。一方、側板１８ｂの下端側には、上下各取付板２５に対応する位置に取付板挿入孔２６が透設され、各取付板２５を挿入できるようになっている。また、両取付板挿入孔２６の間にはプレート掛止片３３が突設されている。
【００２０】
そして、各取付板２５を各取付板挿入孔２６に挿入して上皿扉作動体２０を下方にスライドさせることにより、各取付板２５の先端が各取付板挿入孔２６の周縁に掛止して上皿扉作動体２０が支持体１８に上下動可能に取り付けられている。このとき、図２（ｂ）に示すように、両上皿扉鉤部２１は施錠装置１７の前面側へ突出している。
【００２１】
さらに、図１及び図２（ａ）に示すように、四角板状をなす移動規制プレート３２に形成されたプレート掛止孔３２ａ内に前記プレート掛止片３３が挿通されている。そして、図２（ａ）に示すように、移動規制プレート３２に折り曲げ形成された第１ばね掛止片３２ｂと、前記取付板抜止片２７との間に第１コイルばね３４が設けられている。また、図１に示すように、上皿扉作動体２０の上端には、側面逆Ｌ字状の手動上皿扉解除片３５が右方向に延びるように折り曲げ形成され、この手動上皿扉解除片３５は図６に示すように前枠１３の前面に突出されている。
【００２２】
次に、前枠１３の外枠１２に対する施錠機構について詳述する。図１に示すように、固定板１８ａの上部には上下一対の四角板状のシリンダ錠固定部３６が折り曲げ形成されている。シリンダ錠固定部３６には、錠部材としてのシリンダ錠３７が内側から装着され、その先端は固定板１８ａの前面側に突出した状態となっている。図４（ａ）に示すように、シリンダ錠３７の基端には、背面視略Ｖ字状のカム板３８が錠軸３９に軸着され、シリンダ錠３７の先端側から鍵（図示せず）を挿入して解錠操作を行うべく回転させると、カム板３８は錠軸３９を中心に鍵の回転方向と同一方向に回転するようになっている。
【００２３】
カム板３８には、一方の脚片としての舌片状の第１脚片３８ａが段差部分を介してカム板３８の中央から斜め上方に向かって突設されている。また、カム板３８には他方の脚片としての舌片状の第２脚片３８ｂがカム板３８の中央から斜め下方に向かって突設されている。前記第１脚片３８ａは第２脚片３８ｂより背面側へ延びるとともに、左方向に延びるように折り曲げ形成されている。
【００２４】
図１に示すように、固定板１８ａの上下側にはそれぞれ四角板状の上部鉤部固定板４１及び下部鉤部固定板４２が背面方向に折り曲げ形成されている。これら上部及び下部鉤部固定板４１，４２は、側板１８ｂと平行になるように支持体１８の内側に位置している。上部及び下部鉤部固定板４１，４２には、それぞれ略三角板状の上部外枠鉤部４３及び下部外枠鉤部４４がリベットでかしめ着けされることによって回動可能に軸支されている。図２（ｂ）に示すように、これら上部及び下部外枠鉤部４３，４４は施錠装置１７の背面側へ突出している。
【００２５】
図１に示すように、各外枠鉤部４３、４４の中央には、それぞれ上方に向かって開口する係合凹所４３ａ，４４ａ凹設され、各外枠鉤部４３、４４の先端は端部に向かうに従って下方に傾斜するように形成されている。そして、これらの係合凹所４３ａ，４４ａが、図７に破線に示す外枠１２の右端に設けられた一対の外枠係合金具４５にそれぞれ係合されることによって、外枠１２に前枠１３が施錠されるようになっている。
【００２６】
図１に示すように、各外枠鉤部４３、４４の基端には、縦長四角板状の外枠作動体４６の上下端がそれぞれ軸支され、同外枠作動体４６の上下動に伴って、各外枠鉤部４３、４４は回動するようになっている。外枠作動体４６の上側には、外枠作動体４６の長さ方向に沿って延びる係止孔４６ａが透設され、その係止孔４６ａの下側には、四角板状をなす規制突片４６ｃが右方向に延びるように切り起こし形成されている。
【００２７】
さらに、外枠作動体４６の下側には、第２ばね掛止片４６ｂが上方向に延びるように折り曲げ形成されている。そして、図２（ａ）に示すように、第２ばね掛止片４６ｂに第２コイルばね５０の一端が掛止され、前記掛止フック１８ｅに第２コイルばね５０の他端が掛止されている。
【００２８】
第２コイルばね５０の付勢力によって、外枠作動体４６は下方に付勢されている。そして、外枠作動体４６は、前記シリンダ錠３７による外枠１２の解錠操作を上部及び下部外枠鉤部４３，４４に伝達するようになっている。また、図３（ｂ）に示すように、係止孔４６ａには前記第２脚片３８ｂの先端が挿入配置され、第１脚片３８ａの先端は外枠作動体４６の背面側を通り、側板１８ｂ側へ延びている。
【００２９】
固定板１８ａにおいて、前記シリンダ錠３７の下側には、四角板状をなすロック部材取付板４７が取り付けられている。このロック部材取付板４７の背面側の側縁には、第３ばね掛止片４７ａが上方に折り曲げ形成されている。前記ロック部材取付板４７の左側面には、細長板状をなすロック部材４８の中央部がリベット４８ａによりかしめ着けられることによって回動可能に軸支されている。
【００３０】
図１に示すように、このロック部材４８の上端側は、固定板１８ａ側へ円弧状に凹むように湾曲形成され、その凹んだ位置に係合フック４８ｂが形成されている。この係合フック４８ｂは前記カム板３８の下側に配置されている。さらに、ロック部材４８の下端部には前記規制突片４６ｃに係合可能な規制段部４８ｃが形成されている。また、ロック部材４８の下端側の右側面には側面視略Ｖ字状をなす当接体４９がリベット４９ａによりかしめ着けられることによって回動可能に軸支されている。
【００３１】
当接体４９の下端側の背面側の縁部には四角板状をなし側面視略逆くの字状をなす当接板４９ｂが右方向に延びるように形成されている。そして、図３（ａ）に示すように、前記当接体４９の上端部に第３コイルばね５１の一端が掛止され、同第３コイルばね５１の他端が前記第３ばね掛止片４７ａに掛止されている。そして、第３コイルばね５１の付勢力によって、当接体４９の当接板４９ｂ側が背面側へ回動するように付勢されている。さらに、第３コイルばね５１によりロック部材４８の下端側が背面側へ回動し、係合フック４８ｂ側が前面側へ回動するように付勢されている。
【００３２】
続いて、ガラス扉１５の前枠１３に対する施錠機構について詳述する。図１及び図２（ａ）に示すように、側板１８ｂの内側には長四角板状のガラス扉作動体５２が上下動可能に設けられている。図１に示すように、ガラス扉作動体５２の上下端側には、側面視横Ｔ字状の上部ガイド孔５２ａ及び下部ガイド孔５２ｂが透設されている。
【００３３】
一方、側板１８ｂの内側には各ガイド孔５２ａ，５２ｂに対応して平面視横Ｔ字状の上部取付板５１ａ及び下部取付板５１ｂが右方向に延びるように切り起こし形成されている。そして、図２（ａ）に示すように、ガラス扉作動体５２は、上部及び下部取付板５１ａ，５１ｂを上部及び下部ガイド孔５２ａ，５２ｂに挿入するとともに左側面を側板１８ｂの内側面に当接させ、下方にスライドさせることによって側板１８ｂに上下動可能に取着されている。
【００３４】
ガラス扉作動体５２の上下端には、側面横コ字状の上部ガラス扉鉤部５３及び下部ガラス扉鉤部５４が設けられ、図２（ｂ）に示すように、上部及び下部ガラス扉鉤部５３，５４は施錠装置１７の前面側に突出している。図１に示すように、各ガラス扉鉤部５３、５４の中央には、上方に向かって開口する係合凹所５３ａ，５４ａがそれぞれ凹設されている。これらの係合凹所５３ａ，５４ａはガラス扉１５に設けられた図示しないガラス扉係合金具に係脱することによって、前枠１３に対してガラス扉１５を施錠及び解錠することができる。
【００３５】
ガラス扉作動体５２の中央部の背面側の縁部には、ガラス扉作動体５２の内方へ向かって斜めに延びる係合溝５２ｃが形成されている。また、前記係合溝５２ｃの下側には、係合凹溝５２ｄが凹設されている。そして、上記ガラス扉作動体５２は、前記シリンダ錠３７によるガラス扉１５の解錠操作を上部及び下部ガラス扉鉤部５３，５４に伝達するようになっている。
【００３６】
図１及び図４（ｂ）に示すように、ガラス扉作動体５２の中央部右側には側面視略Ｔ字状のロック体５５の一端部（下端部）がリベット５６でかしめ着けされることによって回動可能に軸支されている。ロック体５５の背面側の上端縁には、第４ばね掛止片５５ａが被係止部として右方向に折り曲げ形成されている。この第４ばね掛止片５５ａは、前記シリンダ錠３７のガラス扉１５の解錠操作により、第１脚片３８ａが係止するようになっている。
【００３７】
さらに、図１に示すように、ロック体５５の背面側の下端縁には右方向に延びる係止突片５５ｂが形成され、この係止突片５５ｂは前記ガラス扉作動体５２の係合凹溝５２ｄに係合可能に形成されている。また、ロック体５５の他端側、具体的には他端部（上端部）には左方向に延びるように係合突部５５ｄが折り曲げ形成され、この係合突部５５ｄは支持体１８の係合部位としての前記係合凹部１８ｄに係合可能に形成されている。
【００３８】
前記側板１８ｂの中央より上側には、側面視略Ｖ字状の規制部材６０が配設され、図４（ｂ）に示すように、この規制部材６０は分岐した一端部がリベット６１で側板１８ｂにかしめ着けされることによって回動可能に軸支されている。規制部材６０において、分岐した他端部には細長板状の解除片６０ａが前方に延設されている。そして、この解除片６０ａは固定板１８ａを貫通して前方に突出するように設けられている。
【００３９】
また、図１に示すように、解除片６０ａの基端側には、四角板状のロック板６０ｂが右方向に延びるように折り曲げ形成されている。このロック板６０ｂは、ガラス扉作動体５２の上下動に伴い、規制部材６０が回動することによって前記係合溝５２ｃに係脱可能となっている。
【００４０】
さらに、図２（ａ）に示すように、規制部材６０の背面側の縁部と、前記第４ばね掛止片５５ａとには第４コイルばね６３の各端部がそれぞれ掛止されている。そして、この第４コイルばね６３の付勢力によって、ロック体５５の前面側がパチンコ遊技機１１の前面側へ引っ張られ、係止突片５５ｂが係合凹溝５２ｄに係合する方向に付勢されている。
【００４１】
また、第４コイルばね６３の付勢力によって、規制部材６０は解除片６０ａが前方へ向かい、ロック板６０ｂが係合溝５２ｃに係合する方向へ回動するように付勢されている。さらに、側板１８ｂに固定された規制部材６０に第４コイルばね６３が取り付けられているため、第４コイルばね６３の付勢力によってガラス扉作動体５２はロック体５５を介して上方に付勢されている。
【００４２】
そして、図２（ａ）及び図５（ａ）、（ｂ）に示すように、ロック板６０ｂが係合溝５２ｃに係合し、ガラス扉作動体５２の下方への移動が規制された状態を、ガラス扉１５に対する施錠装置１７の解錠状態とする。このとき、ロック体５５の係合突部５５ｄは係合凹部１８ｄと係合不能な位置に配置されている。
【００４３】
一方、図４（ａ）、（ｂ）に示すように、ロック板６０ｂが係合溝５２ｃから離脱し、ロック体５５の係合突部５５ｄが係合凹部１８ｄに係合した位置に配置された状態を、ガラス扉１５に対する施錠装置１７の施錠状態とする。
【００４４】
次に、施錠装置１７の使用方法を作用とともに説明する。
まず、施錠装置１７を前枠１３に装着するには、各上皿扉鉤部２１、手動上皿扉解除片３５、シリンダ錠３７の先端、各ガラス扉鉤部５３、５４及び解除片６０ａを前枠１３に形成された図示しない挿通孔に挿通させ、図７に示すように、固定板１８ａの前面を前枠１３の四角枠状の縦枠の背面に当接させる。そして、前枠１３に固定板１８ａをねじ等で固定する。このとき、図６に示すように各上皿扉鉤部２１、手動上皿扉解除片３５、シリンダ錠３７の先端、各ガラス扉鉤部５３、５４及び解除片６０ａは前枠１３の前面に突出するようになっている。
【００４５】
次に、前枠１３に対して上皿扉１６を施錠するには、上皿扉１６を閉止方向に回動させる。すると、各上皿扉鉤部２１の先端が上皿扉係合金具２４に摺動され、各上皿扉鉤部２１は第１コイルばね３４の付勢力に抗して下方に移動する。そして、各上皿扉鉤部２１の係合凹所２３が上皿扉係合金具２４に係合するとともに、第１コイルばね３４の付勢力によって各上皿扉鉤部２１が上方に移動復帰される。第１コイルばね３４の付勢力によって各上皿扉鉤部２１の係合状態が維持されることによって、前枠１３に対する上皿扉１６の施錠が維持されている。
【００４６】
続いて、上皿扉１６を解錠するには、ガラス扉１５を解錠して手動上皿扉解除片３５を第１コイルばね３４の付勢力に抗して、手動で下方に押し下げる。すると、各上皿扉鉤部２１の係合凹所２３と上皿扉係合金具２４の係合が解除され、上皿扉１６を解錠することができる。
【００４７】
次に、開放状態の前枠１３を外枠１２に施錠するには、前枠１３を閉止方向に回動させる。すると、上部外枠鉤部４３及び下部外枠鉤部４４は、外枠係合金具４５によって先端が下がる方向に回動し、上部及び下部外枠鉤部４３，４４に連結された外枠作動体４６が第２コイルばね５０の付勢力に抗して上方へスライド移動する。
【００４８】
外枠作動体４６の上方へのスライド移動とほぼ同時に、当接板４９ｂが外枠１２の前面に当接し、さらに、前枠１３の回動により当接板４９ｂを介して当接体４９が施錠装置１７の前面側へ押圧される。当接体４９が押圧されることにより、ロック部材４８の下端側が施錠装置１７の前面側へ押圧され、リベット４８ａを回動中心としてロック部材４８の上端側が施錠装置１７の背面側へ回動される。
【００４９】
図３（ａ）に示すように、係合凹所４３ａ，４４ａが外枠係合金具４５に係合すると、伸張した第２コイルばね５０の下方への付勢力によって外枠作動体４６が下方へ移動され、各外枠鉤部４３、４４が水平状態に復帰される。そして、第２コイルばね５０の付勢力によって、係合凹所４３ａ，４４ａが外枠係合金具４５に係合した状態が維持され、外枠１２に対する前枠１３の施錠が維持される。また、係合凹所４３ａ，４４ａが外枠係合金具４５に係合すると、係合フック４８ｂの側縁が第２脚片３８ｂに当接して、ロック部材４８の回動が停止される。
【００５０】
前枠１３が外枠１２に施錠された状態で、ロック部材４８の規制段部４８ｃが規制突片４６ｃの上側に配置されている。そのため、不正部材等により外枠作動体４６を不正操作して押し下げようとしても、規制段部４８ｃが規制突片４６ｃに係合する。その結果、外枠作動体４６の移動が規制され、係合凹所４３ａ，４４ａが外枠係合金具４５に係合した状態が維持されるとともに、外枠１２に対する前枠１３の施錠が維持される。
【００５１】
続いて、外枠１２から前枠１３を解錠するには、シリンダ錠３７に鍵４０を差し込み、前方から見て時計方向に回転させ、シリンダ錠３７による前枠１３の外枠１２からの解錠操作を行う。図３（ｂ）に示すように、第２脚片３８ｂの先端は係合フック４８ｂの内周縁に係止し、カム板３８の回転によってロック部材４８の上端側が施錠装置１７の前面側へ押し出されるように回動される。ロック部材４８の回動により、同ロック部材４８の下端側が施錠装置１７の背面側へ回動し、規制段部４８ｃが規制突片４６ｃから離れる。
【００５２】
さらに、鍵４０を回転させると、第２脚片３８ｂの先端が係止孔４６ａの内縁に係止し、規制突片４６ｃが規制段部４８ｃに係止することなくカム板３８の回転によって外枠作動体４６が押し上げられる。このとき、外枠作動体４６は第２コイルばね５０の付勢力に抗して押し上げられる。すると、各外枠鉤部４３、４４の基端側は上方に向かって回転され、各外枠鉤部４３、４４の先端側は下方に向かって回転される。これに伴って、係合凹所４３ａ，４４ａと外枠係合金具４５の係合が解除され、外枠１２から前枠１３が解錠される。
【００５３】
解錠後、鍵４０の回転を解除すると、伸張した第２コイルばね５０の付勢力により外枠作動体４６が下方へ移動され、各外枠鉤部４３、４４が水平状態に復帰される。また、第３コイルばね５１の付勢力により、当接板４９ｂが背面側へ向かうように当接体４９が回動し、ロック部材４８も下端側が背面側へ向かうように回動する。
【００５４】
次に、開放状態のガラス扉１５を前枠１３に施錠するには、図２（ａ）に示すように、施錠装置１７がガラス扉１５に対して解錠状態にあるとき、ガラス扉１５を閉止方向に回動させる。すると、図４（ｂ）に示すように、ガラス扉１５の背面が解除片６０ａに当接するとともに、解除片６０ａは、背面側へ押し出され、規制部材６０は第４コイルばね６３の付勢力に抗して背面方向に回動し、第４コイルばね６３は伸張される。そして、ロック板６０ｂと係合溝５２ｃとの係合が解除されると、伸張した第４コイルばね６３の付勢力によってロック体５５が引き上げられる。即ち、ロック体５５が取り付けられたガラス扉作動体５２は、上部及び下部取付板５１ａ，５１ｂに上部及び下部ガイド孔５２ａ，５２ｂが案内されながら上方に移動される。
【００５５】
すると、各ガラス扉鉤部５３、５４が移動し、ガラス扉係合金具（図示せず）に係合する。さらに、ロック体５５が第４コイルばね６３の付勢力によって引っ張られて回転し、係合突部５５ｄが支持体１８の係合凹部１８ｄに係合される。そして、施錠装置１７がガラス扉１５に対して施錠状態となり、ガラス扉１５が前枠１３に施錠される。この施錠状態でガラス扉作動体５２を下方へ移動させる不正操作が行われても、係合突部５５ｄの係合凹部１８ｄに対する係合によりガラス扉作動体５２の下方への移動が規制される。
【００５６】
続いて、前枠１３からガラス扉１５を解錠するには、施錠装置１７がガラス扉１５に対して施錠状態にあるとき、シリンダ錠３７に鍵４０を差し込み回転させる。すると、図５（ａ）に示すように、第１脚片３８ａが第４ばね掛止片５５ａに係止し、さらにカム板３８が回転されることにより、ロック体５５が背面側に向かうようにリベット５６を回動中心として第４コイルばね６３の付勢力に抗してロック体５５が回動する。
【００５７】
ロック体５５が回動すると、図５（ｂ）に示すように、係合突部５５ｄが係合凹部１８ｄから抜け出て、両者の係合が解除され、ガラス扉作動体５２への下方への移動が規制された状態が解除される。また、カム板３８が回転されることにより、第１脚片３８ａによってロック体５５が押し下げられ、そのロック体５５が取り付けられたガラス扉作動体５２が、第４コイルばね６３の付勢力に抗して押し下げられる。そして、各ガラス扉鉤部５３、５４とガラス扉係合金具の係合が解除される。
【００５８】
また、ガラス扉作動体５２が押し下げられることにより、係合溝５２ｃがロック板６０ｂに近づき、さらに、伸張された第４コイルばね６３により規制部材６０が前面側へ引っ張られ、解除片６０ａが前方へ突出する方向へ回動される。すると、ロック板６０ｂが係合溝５２ｃに係合し、ガラス扉作動体５２の上下動が規制されて、ガラス扉１５に対する施錠装置１７の解錠状態が維持される。
【００５９】
実施形態の施錠装置１７によれば、以下のような特徴を得ることができる。
（１）第１脚片３８ａを、ガラス扉作動体５２に取り付けられたロック体５５の第４ばね掛止片５５ａと係止可能に形成した。そのため、鍵４０によってカム板３８を回転させ、第１脚片３８ａを作動させることにより、ガラス扉作動体５２を作動させてガラス扉１５の解錠操作を行うことができる。従って、鍵４０によってガラス扉作動体５２を作動させるために、連動部材を別途必要としていた従来と異なり、ガラス扉１５の施錠機構における部品点数を減らすことができるとともに、構成を簡易化することができる。
【００６０】
（２）カム板３８に第１脚片３８ａと第２脚片３８ｂとを形成し、第１脚片３８ａによりガラス扉作動体５２を作動させ、第２脚片３８ｂにより外枠作動体４６作動させた。そのため、シリンダ錠３７による各解錠操作により、各作動体５２，４６を確実に作動させることができ、各解錠を確実に行うことができる。
【００６１】
（３）ロック板６０ｂの係合溝５２ｃに対する係合により、ガラス扉作動体５２の移動を規制してガラス扉１５の解錠状態を維持することができる。そのため、前枠１３に対するガラス扉１５の開放状態でガラス扉作動体５２が移動してしまい、ガラス扉１５を閉止方向へ回転させたとき、ガラス扉１５を前枠１３に施錠できなくなる不具合を防止することができる。
【００６２】
（４）ロック体５５は、カム板３８の動作をガラス扉作動体５２に伝達して同ガラス扉作動体５２を作動させる機能と、係合突部５５ｄが係合凹部１８ｄに係合してガラス扉作動体５２の移動を規制する機能とを発揮させることができる。従って、各機能を別々の部材で発揮させる場合と比較して、ガラス扉１５の施錠機構を安定して作動させることができるとともに、部品点数を少なくして構造を簡易化することができる。
【００６３】
（５）係合突部５５ｄが係合する係合凹部１８ｄを側板１８ｂに形成した。そのため、係合突部５５ｄの係合する部位を支持体１８とは別に設ける場合と比較して、ガラス扉作動体５２の移動を確実に規制して、ガラス扉１５の不正な開放を防止することができる。
【００６４】
（６）係合凹部１８ｄは側板１８ｂを切り欠いて形成されている。そのため、係合凹部１８ｄを別部材で側板１８ｂに設ける場合と比較して、ガラス扉作動体５２の移動を規制する機構を施錠装置１７に容易に形成することができる。
【００６５】
（第２の実施形態）
以下、本発明を具体化した第２の実施形態を図８〜図１１に従って説明する。なお、第２の実施形態は、第１の実施形態の施錠装置１７を変更した構成であるため、パチンコ遊技機１１については、その詳細な説明を省略する。なお、以下において上下左右は、パチンコ遊技機１１を前方から見た場合の上下左右を示すものとする。
【００６６】
図８に示すように、施錠装置７０は、第１の実施形態の支持体１８とほぼ同形状に形成された支持体７１を備え、その支持体７１は固定板７１ａ、側板７１ｂ及びリブ７１ｃから構成されている。そして、この支持体７１は前記前枠１３の背面に固定される。前記固定板７１ａのほぼ中央部及び下端部には、第１ばね掛止片７１ｄ及び第２ばね掛止片７１ｅがそれぞれ下方に延びるように切り起こし形成されている。また、固定板７１ａの下端部には、前記側板７１ｂと平行をなすように切り起こされた取付板７１ｇが形成され、その取付板７１ｇには平面視略Ｔ字状をなす取付片７１ｆが右方向に延びるように切り起こし形成されている。さらに、前記側板７１ｂの上部及び下部にも前記取付片７１ｆが右方向に延びるように切り起こし形成されている。
【００６７】
固定板７１ａの中央より若干下側には四角板状をなすシリンダ錠固定部７２が形成され、そのシリンダ錠固定部７２には、各鉤部の解錠操作を行う錠部材としてのシリンダ錠７３が装着されている。シリンダ錠７３の基端には、第１の実施形態と同様に、第１脚片７４ａ及び第２脚片７４ｂを備え、解錠操作に伴い回転するカム板７４が錠軸７５により軸着されている。
【００６８】
前記上皿扉１６の前枠１３に対する施錠機構について説明する。側板７１ｂの下端の内側には一対の上皿扉鉤部材７６が取り付けられている。上側の上皿扉鉤部材７６の前端部には、下方に延びる上皿扉鉤部７６ａが形成され、下側の上皿扉鉤部材７６の前端部にも、上方に延びる上皿扉鉤部７６ａが形成されている。そして、上皿扉１６が閉止方向へ回転されると、上下両上皿扉鉤部材７６の上皿扉鉤部７６ａがそれぞれ上皿扉１６に設けられた前記上皿扉係合金具２４に係合して、上皿扉１６が前枠１３に対して施錠されるように構成されている。
【００６９】
続いて、ガラス扉１５の前枠１３に対する施錠機構について詳述する。側板７１ｂの内側には長四角板状のガラス扉作動体７７が上下方向へ摺動可能に設けられている。ガラス扉作動体７７の上下端には、側面視Ｔ字状の上部ガイド孔７７ａ及び下部ガイド孔７７ｂが透設されている。そして、ガラス扉作動体７７は、前記側板７１ｂの上部の取付片７１ｆを上部ガイド孔７７ａに挿入し、下部の取付片７１ｆを下部ガイド孔７７ｂに挿入することによって側板７１ｂに取着されている。
【００７０】
ガラス扉作動体７７の上下端には、第１の実施形態と同様に、ガラス扉１５を前枠１３に施錠すべく、図９に示すガラス扉係合金具９８に係合する側面横コ字状の上部ガラス扉鉤部７８及び下部ガラス扉鉤部７９が設けられている。前記上部ガラス扉鉤部７８及び下部ガラス扉鉤部７９にはそれぞれ係合凹所７８ａ，７９ａが形成されている。ガラス扉作動体７７の中央部の背面側の縁部には、ガラス扉作動体７７の内方へ向かって斜めに延びる係合溝７７ｃが形成されている。そして、上記ガラス扉作動体７７は、シリンダ錠７３によるガラス扉１５の解錠操作を上部及び下部ガラス扉鉤部７８，７９に伝達するようになっている。また、ガラス扉作動体７７の中央部より下部には、透孔７７ｄが形成されている。
【００７１】
ガラス扉作動体７７の中央部右側には側面視細長板状のロック体８０の一端部（上端部）がリベット８１でかしめ着けされることによって回動可能に軸支されている。図８に示すように、ロック体８０の背面側の上端縁には、ばね掛止片８０ａが下方向に延びるように形成されている。ロック体８０の他端部（下端部）にはロック体８０の長さ方向に沿って延びる長孔状の係止長孔８０ｂが、被係止部として形成されている。この係止長孔８０ｂの内周縁には、前記第１脚片７４ａが係止可能に形成されている。ロック体８０の他端側の縁部には施錠装置７０の背面側へ突出する係合突部８０ｃが形成され、この係合突部８０ｃは、支持体７１における側板７１ｂの背面側の縁部に折り曲げ形成された係合部位としての係合片７１ｈに係合可能に形成されている。
【００７２】
前記側板７１ｂの中央より上側には、側面視略Ｖ字状の規制部材８３が配設され、図９に示すように、この規制部材８３は分岐した一端部がリベット８２で側板７１ｂにかしめ着けされることによって回動可能に軸支されている。規制部材８３において、分岐した他端部には細長板状の解除片８３ａが前方に延設されている。そして、この解除片８３ａは固定板７１ａを貫通して前方に突出するように設けられている。
【００７３】
また、図８に示すように、解除片８３ａの基端側には、四角板状のロック板８３ｂが右方向に延びるように折り曲げ形成されている。このロック板８３ｂは、ガラス扉作動体７７の上下動に伴い、規制部材８３が回動することによって前記係合溝７７ｃに係脱可能となっている。
【００７４】
さらに、規制部材８３の背面側の縁部と、前記ばね掛止片８０ａとにはコイルばね８４の各端部がそれぞれ掛止されている。そして、このコイルばね８４の付勢力によって、ロック体８０の下端側が施錠装置７０の背面側へ回動する方向に付勢されている。
【００７５】
また、コイルばね８４の付勢力によって、規制部材８３は解除片８３ａが前方へ向かい、ロック板８３ｂが係合溝７７ｃに係合する方向へ回動するように付勢されている。さらに、側板７１ｂに固定された規制部材８３にコイルばね８４が取り付けられているため、コイルばね８４の付勢力によってガラス扉作動体７７はロック体８０を介して上方に付勢されている。
【００７６】
そして、図１１に示すように、ロック板８３ｂが係合溝７７ｃに係合し、ガラス扉作動体７７の下方への移動が規制された状態を、ガラス扉１５に対する施錠装置７０の解錠状態とする。このとき、ロック体８０の係合突部８０ｃは係合片７１ｈの下方に位置し、同係合片７１ｈと係合不能な位置に配置されている。
【００７７】
一方、図９に示すように、ロック板８３ｂが係合溝７７ｃから離脱し、ロック体８０の係合突部８０ｃが係合片７１ｈの上方に位置した状態を、ガラス扉１５に対する施錠装置７０の施錠状態とする。そして、これらの上部及び下部ガラス扉鉤部７８，７９がガラス扉１５に設けられたガラス扉係合金具９８に係脱することによって、ガラス扉１５が前枠１３に対して施錠及び解錠される。
【００７８】
次に、前枠１３の外枠１２に対する施錠機構について詳述する。図８に示すように、支持体７１には、前枠１３を外枠１２に施錠すべく当該外枠１２の前記外枠係合金具４５に係合する外枠鉤部８９，９０を備えた外枠作動体９１が支持体７１の延びる方向に沿って摺動可能に設けられている。この外枠作動体９１は上部及び下部外枠作動杆９２，９３の二体に分割形成されているとともに、連結部材９４によって連結可能に形成されている。
【００７９】
具体的に説明すると、前記ガラス扉作動体７７の右側には、長四角板状の上部外枠作動杆９２が上下方向に摺動可能に設けられている。この上部外枠作動杆９２の上端側には、側面視逆Ｔ字状の上部取付孔９２ａが透設されている。そして、前記上部ガイド孔７７ａに挿入された上側の取付片７１ｆを上部取付孔９２ａに挿入し、上部外枠作動杆９２を下方にスライドさせることによって、同上部外枠作動杆９２は、ガラス扉作動体７７に重ねた状態で支持体７１に取着されている。上部外枠作動杆９２の上端部には、略三角板状の上部外枠鉤部８９が一体形成され、その外枠鉤部８９には係合凹所８９ａが形成されている。
【００８０】
また、上部外枠作動杆９２のほぼ中央部には上部ばね掛止片９２ｂが上方に延びるように切り起こし形成されている。そして、この上部ばね掛止片９２ｂに第１ばね部材９５の上端部が掛止され、その第１ばね部材９５の下端部が前記第１ばね掛止片７１ｄに掛止されている。この第１ばね部材９５の付勢力によって、上部外枠作動杆９２は下方に付勢されている。
【００８１】
さらに、上部外枠作動杆９２の下部には平面視横Ｔ字状をなす連結片９２ｃが右方向に延びるように切り起こし形成されている。加えて、上部外枠作動杆９２における連結片９２ｃの下側には、前記第１脚片７４ａが通過可能な長四角形状の逃げ長孔９２ｄが形成され、その逃げ長孔９２ｄの下側には、前記第２脚片７４ｂが係止可能な長四角形状の係止長孔９２ｅが形成されている。
【００８２】
前記上部外枠作動杆９２の下側には、長四角板状の下部外枠作動杆９３が上下方向へ摺動可能に設けられている。下部外枠作動杆９３の上端部には、側面視Ｔ字状の連結孔９３ａが透設され、下部外枠作動杆９３の中央部より下側には側面視逆Ｔ字状をなす一対の取付長孔９３ｂが透設されている。そして、上部外枠作動杆９２の連結片９２ｃを連結孔９３ａに挿入し、さらに、下部外枠作動杆９３を、ガラス扉作動体７７及び上皿扉鉤部材７６に重ねた状態で、下側二箇所の取付片７１ｆをそれぞれ取付長孔９３ｂに挿入する。その結果、下部外枠作動杆９３が上部外枠作動杆９２に取り付けられるとともに、支持体７１に取着されている。
【００８３】
下部外枠作動杆９３の上部には、連結部材９４の基端部がリベット９６によりかしめ着けられ、そのリベット９６を回動中心として連結部材９４は回動可能となっている。この連結部材９４の先端部には前記連結片９２ｃに係合可能な凹部９４ａが凹設されている。
【００８４】
下部外枠作動杆９３において、連結部材９４の下側には、前記第１脚片７４ａが通過可能な長四角形状の逃げ長孔９３ｄが形成され、その逃げ長孔９３ｄ下側には、前記第２脚片７４ｂが係止可能な長四角形状の係止長孔９３ｅが形成されている。さらに、前記一対の取付長孔９３ｂの間には、下部ばね掛止片９３ｆが上方向に延びるように切り起こし形成されている。そして、この下部ばね掛止片９３ｆに第２ばね部材９７の上端部が掛止され、その第２ばね部材９７の下端部が前記第２ばね掛止片７１ｅに掛止されている。この第２ばね部材９７の付勢力によって、下部外枠作動杆９３は下方に付勢されている。下部外枠作動杆９３の下端部には、略三角板状の下部外枠鉤部９０が一体形成され、その外枠鉤部９０には係合凹所９０ａが形成されている。
【００８５】
そして、図示しないが、前記連結部材９４を上方へ回動させ、凹部９４ａを連結片９２ｃに係合させることによって、上記構成の上部外枠作動杆９２と、下部外枠作動杆９３とは連結され、外枠作動体９１が形成されるように構成されている。上記外枠作動体９１は、シリンダ錠７３による外枠１２の解錠操作を上部及び下部外枠鉤部８９，９０に伝達するようになっている。
【００８６】
さて、開放状態の前枠１３を外枠１２に施錠するには、前枠１３を閉止方向に回動させる。すると、上部外枠鉤部８９及び下部外枠鉤部９０の先端側の下端縁が、外枠１２の上下両部に形成された外枠係合金具４５の端縁に摺接し、上部及び下部外枠作動杆９２，９３がそれぞれ第１及び第２ばね部材９５，９７の付勢力に抗して押し上げられる。
【００８７】
そして、図９に示すように、前枠１３の回動によって上部及び外枠鉤部８９，９０がそれぞれ外枠係合金具４５に係合される。第１及び第２ばね部材９５，９７の付勢力によって上部及び下部外枠作動杆９２，９３が下方へ付勢され、上部及び下部外枠鉤部８９，９０が外枠係合金具４５に係合した状態が維持されるとともに、外枠１２に対する前枠１３の施錠が維持される。
【００８８】
前枠１３を外枠１２から解錠するには、シリンダ錠７３に鍵４０を差し込んで回転させる。すると、第２脚片７４ｂが外枠作動体９１としての上部外枠作動杆９２の係止長孔９２ｅ及び下部外枠作動杆９３の係止長孔９３ｅの内周縁に同時に係止する。その結果、カム板７４の回転によって上部及び下部外枠作動杆９２，９３が同時に第１及び第２ばね部材９５，９７の付勢力に抗して押し上げられ、外枠作動体９１が押し上げられる。
【００８９】
すると、上部外枠作動杆９２及び下部外枠作動杆９３がそれぞれ押し上げられることによって外枠作動体９１が押し上げられ、上部及び下部外枠鉤部８９，９０と外枠係合金具４５との係合が解除され、外枠１２から前枠１３が解錠される。解錠後、鍵４０を原位置へ復帰回転させると、伸張した第１及び第２ばね部材９５，９７の原形状への復元力により上部及び下部外枠作動杆９２，９３が引き下げられる。
【００９０】
なお、施錠装置７０の前枠１３に対する装着開始からパチンコ遊技機１１の設置までの間は、連結部材９４の凹部９４ａが連結片９２ｃに係合されて上部外枠作動杆９２と下部外枠作動杆９３とが連結されて外枠作動体９１が形成される。そして、外枠作動体９１を手動で移動させて遊技構成部材の調整、確認等の作業が行われ、前記作業が済んだ後に、連結部材９４による上部及び下部外枠作動杆９２，９３の連結が解除される。
【００９１】
次に、開放状態のガラス扉１５を前枠１３に施錠するには、図１１に示すように、施錠装置７０がガラス扉１５に対して解錠状態にあるとき、ガラス扉１５を閉止方向に回動させる。すると、ガラス扉１５の背面（図示せず）が解除片８３ａに当接するとともに、解除片８３ａは、背面側へ押し出され、規制部材８３はコイルばね８４の付勢力に抗して背面方向に回動し、そのコイルばね８４は伸張される。そして、図９に示すように、ロック板８３ｂと係合溝７７ｃとの係合が解除されると、伸張したコイルばね８４の付勢力によってロック体８０が引き上げられる。即ち、ロック体８０が取り付けられたガラス扉作動体７７は上方に移動される。
【００９２】
すると、上部及び下部ガラス扉鉤部７８，７９が上方へ移動し、ガラス扉係合金具９８に係合する。また、ガラス扉作動体７７の上方への移動と同時に、ロック体８０が上方へ移動し、係合突部８０ｃが係合片７１ｈに摺接しながら上方へ移動し、当該係合突部８０ｃが係合片７１ｈの上方に配置される。そして、施錠装置７０がガラス扉１５に対して施錠状態となり、ガラス扉１５が前枠１３に施錠される。この施錠状態でガラス扉作動体７７を下方へ移動させる不正操作が行われても、係合突部８０ｃの係合片７１ｈに対する係合によりガラス扉作動体７７の下方への移動が規制され、ガラス扉１５の不正な解錠を防止することができる。
【００９３】
続いて、前枠１３からガラス扉１５を解錠するには、施錠装置７０がガラス扉１５に対して施錠状態にあるとき、シリンダ錠７３に鍵４０を差し込み回転させる。すると、図１０に示すように、第１脚片７４ａが下部外枠作動杆９３の逃げ長孔９３ｄ及び上部外枠作動杆９２の逃げ長孔９２ｄを通過し、さらに透孔７７ｄを通過して、係止長孔８０ｂの内周縁に係止される。さらに、鍵４０により、カム板７４が回転されることにより、第１脚片７４ａが係止長孔８０ｂの内周縁に摺接して、ロック体８０がその下端部側が施錠装置７０の前面側に向かうようにリベット８１を回動中心としてコイルばね８４の付勢力に抗して回動する。
【００９４】
ロック体８０が回動すると、係合突部８０ｃが係合片７１ｈから離れるように前面側へ移動され、係合突部８０ｃの係合片７１ｈに対する係合可能な状態が解除される。即ち、ガラス扉作動体７７の下方への移動が規制された状態が解除される。さらにカム板７４が回転されることにより、第１脚片７４ａによってロック体８０が押し下げられ、そのロック体８０が取り付けられたガラス扉作動体７７が、コイルばね８４の付勢力に抗して押し下げられる。そして、図１１に示すように、上部及び下部ガラス扉鉤部７８，７９とガラス扉１５のガラス扉係合金具９８の係合が解除される。
【００９５】
また、ガラス扉作動体７７が押し下げられることにより、係合溝７７ｃがロック板８３ｂに近づき、さらに、伸張されたコイルばね８４により規制部材８３が前面側へ引っ張られ、解除片８３ａが前方へ突出する方向へ回動される。すると、ロック板８３ｂが係合溝７７ｃに係合し、ガラス扉作動体７７の上下動が規制されて、ガラス扉１５に対する施錠装置７０の解錠状態が維持される。
【００９６】
上記第２の実施形態の施錠装置７０によれば、第１の実施形態の前記（２）〜（４）と同様な効果を発揮させることができるとともに、以下のような特徴を得ることができる。即ち、第１脚片７４ａを、ガラス扉作動体７７に取り付けられたロック体８０の係止長孔８０ｂの内周縁と直接的に係止可能に形成した。そのため、鍵４０によってカム板７４を回転させ、第１脚片７４ａを作動させることにより、ガラス扉作動体７７を作動させてガラス扉１５の解錠操作を行うことができる。従って、鍵４０によってガラス扉作動体７７を作動させるために、連動部材を別途必要としていた従来と異なり、ガラス扉１５の施錠機構における部品点数を減らすことができるとともに、構成を簡易化することができる。
【００９７】
また、ロック体８０の長さ方向への長さを延長することによって、支持体７１のほぼ中央に形成されたカム板７４の第１脚片７４ａを係止長孔８０ｂの内周縁に係止させることができる。従って、支持体７１の長さ方向における任意の位置にシリンダ錠７３及びカム板７４が設けられていても、ロック体８０の長さを調整することにより、ガラス扉作動体７７の解錠操作を可能とすることができる。その結果、パチンコ遊技機１１のメーカー毎に前枠１３におけるシリンダ錠７３の取付位置が異なっていても、固定板７１ａにおけるシリンダ錠７３の位置を調整し、ロック体８０の長さ及び係止長孔８０ｂの位置を変更するのみで、施錠装置７０をパチンコ遊技機１１に対応して使用可能とすることができる。
【００９８】
なお、上記各実施形態は以下のように変更してもよい。
・　第１の実施形態では、第１脚片３８ａを第４ばね掛止片５５ａに係止させてガラス扉作動体５２を作動させ、第２脚片３８ｂを係止孔４６ａに係止させて外枠作動体４６を作動させたが、以下のように変更してもよい。
【００９９】
例えば、第１の実施形態では、第２脚片３８ｂを省略して、カム板３８を第１脚片３８ａのみとし、外枠作動体４６の背面側に第１脚片３８ａが係止可能な係止部位を形成する。そして、鍵４０を回転させると、第４ばね掛止片５５ａに第１脚片３８ａが係止してガラス扉作動体５２を作動させることができる。一方、前記とは逆方向に鍵４０を回転させると、前記係止部位に第１脚片３８ａが係止して外枠作動体４６を作動させることができる。
【０１００】
・　各実施形態では、ロック板６０ｂ，８３ｂと係合溝５２ｃ，７７ｃとの係合により解錠状態におけるガラス扉作動体５２，７７の移動を規制したが、規制部材６０，８３に係合溝を形成し、ガラス扉作動体５２，７７にロック板を形成してもよい。
【０１０１】
・　第１の実施形態では、ロック体５５を介してガラス扉作動体５２を作動させたが、以下のように変更してもよい。即ち、ガラス扉作動体５２に第１脚片３８ａが係止可能な被係止部を延設し、カム板３８の回転により第１脚片３８ａを前記被係止部に係止させてカム板３８の回転によりガラス扉作動体５２を直接的に作動させてもよい。
【０１０２】
また、第２の実施形態において、第１脚片７４ａが係止長孔８０ｂの内周縁に係止してロック体８０が回動された後、第１脚片７４ａがガラス扉作動体７７の被係止部としての透孔７７ｄの内周縁に係止するように形成する。そして、カム板７４の回転により、第１脚片７４ａによってガラス扉作動体７７を直接的に作動させてもよい。
【０１０３】
・　第１の実施形態では、被係止部として第４ばね掛止片５５ａに第１脚片３８ａを係止させたが、ロック体５５における第４ばね掛止片５５ａ以外の部位に被係止部を形成してもよい。また、第２の実施形態では、被係止部としての係止長孔８０ｂの内周縁に第１脚片７４ａを係止させたが、ロック体８０における係止長孔８０ｂの内周縁以外の部位に被係止部を形成してもよい。
【０１０４】
次に上記実施形態及び別例から把握できる技術的思想について、それらの効果とともに以下に追記する。
（１）前記支持体には、規制部材が回動可能に軸支され、同規制部材はガラス扉の解錠状態でガラス扉作動体と係合して同ガラス扉作動体の移動を規制することを特徴とする請求項１〜請求項３のいずれか一項に記載の遊技機における施錠装置。このように構成した場合、前枠に対するガラス扉の開放状態で、ガラス扉作動体の移動を防止することができるため、ガラス扉作動体が移動してしまい、ガラス扉を閉止方向へ回転させたとき、ガラス扉を前枠に施錠できなくなる不具合を防止することができる。
【０１０５】
（２）前記カム板には、一対の脚片が形成され、一方の脚片がガラス扉作動体の被係止部に係止してガラス扉作動体を作動させ、他方の脚片が外枠作動体に係止して外枠作動体を作動させることを特徴とする請求項１〜請求項３のいずれか一項に記載の遊技機における施錠装置。このように構成した場合、錠部材による各解錠操作により、各作動体を確実に作動させることができ、各解錠を確実に行うことができる。
【０１０６】
（３）前記ロック体は一端部がガラス扉作動体に回動可能に軸支され、同ロック体の他端部が支持体に折り曲げ形成された係合部位に係合してガラス扉作動体の移動を規制することを特徴とする請求項２に記載の遊技機における施錠装置。このように構成した場合、持体の係合部位と、ロック体との係合によるガラス扉作動体の移動を確実に規制して、ガラス扉の不正な解錠を防止することができる。
【０１０７】
【発明の効果】
以上、詳述したように、請求項１に記載の発明によれば、ガラス扉の施錠機構において、部品点数を減らして簡易な構成で、ガラス扉作動体を作動させることができる。
【０１０８】
請求項２に記載の発明によれば、請求項１に記載の発明の効果に加え、ロック体により、カム板の回転をガラス扉作動体に伝達して作動させる機能と、ガラス扉作動体の移動を規制する機能とを発揮させることができる。従って、各機能を別々の部材で発揮させる場合と比較して、各機能を安定して発揮させることができるとともに、部品点数を少なくすることができる。
【０１０９】
請求項３に記載の発明によれば、請求項２に記載の発明の効果に加え、支持体の係合部位と、ロック体との係合によるガラス扉作動体の移動を確実に規制して、ガラス扉の不正な解錠を防止することができる。
【図面の簡単な説明】
【図１】第１の実施形態の施錠装置を示す分解斜視図。
【図２】（ａ）は施錠装置を示す側面図、（ｂ）は施錠装置を示す側面図。
【図３】（ａ）は外枠と前枠とが施錠されたときの施錠装置を示す部分側面図、（ｂ）は前枠の外枠からの解錠状態の施錠装置を示す部分側面図。
【図４】（ａ）はガラス扉に対する施錠状態を示す部分背面図、（ｂ）はガラス扉に対する施錠状態を示す部分破断側面図。
【図５】（ａ）はガラス扉に対する解錠状態を示す部分背面図、（ｂ）はガラス扉に対する解錠状態を示す部分破断側面図。
【図６】ガラス扉及び上皿扉が解錠された前枠を示す斜視図。
【図７】前枠が解錠されたパチンコ遊技機を示す斜視図。
【図８】第２の実施形態の施錠装置を示す分解斜視図。
【図９】ガラス扉に対する施錠装置の施錠状態を示す部分破断側面図。
【図１０】ロック体を回動させた状態を示す部分破断側面図。
【図１１】ガラス扉に対する施錠装置の解錠状態を示す部分破断側面図。
【符号の説明】
１１…遊技機としてのパチンコ遊技機、１２…外枠、１３…前枠、１４…遊技盤、１５…ガラス扉、１７，７０…施錠装置、１８，７１…支持体、１８ｄ…係合部位としての係合凹部、３７，７３…錠部材としてのシリンダ錠、３８，７４…カム板、４３，８９…上部外枠鉤部、４４，９０…下部外枠鉤部、４６，９１…外枠作動体、５２，７７…ガラス扉作動体、５３，７８…上部ガラス扉鉤部、５４，７９…下部ガラス扉鉤部、５５，８０…ロック体、５５ａ…被係止部としての第４ばね掛止片、７１ｈ…係合部位としての係合片、８０ｂ…被係止部としての係止長孔。
【図１】
2004081795.tif 000003
【図２】
2004081795.tif 000004
【図３】
2004081795.tif 000005
【図４】
2004081795.tif 000006
【図５】
2004081795.tif 000007
【図６】
2004081795.tif 000008
【図７】
2004081795.tif 000009
【図８】
2004081795.tif 000010
【図９】
2004081795.tif 000011
【図１０】
2004081795.tif 000012
【図１１】
2004081795.tif 000013